(57)【要約】      （修正有）【課題】たとう紙タイプのブランクから、折り曲げかつ互いに重ね合わせて、大きさ、厚みの異なる３種類の箱の組み立てを可能にした包装用シートを提供する。【解決手段】一枚のブランクＢを使用し、そのブランクＢの中央に罫線によって４角形の底面部１０を形成し、その底面部１０を中心に該ブランクＢの幅面方向と長さ面方向とに、箱高さに対応する複数の寸法調節用罫線１３、１４を平行状に設け、かつ前記底面部１０の４隅には長さ面方向に切離し可能なジッパー１５を設ける。そのブランクＢを畳（たとう）紙のように、長さ面方向の前後両端部と幅面方向の左右両端部をそれぞれ前記複数の罫線１３、１４から選ばれた１つの罫線に沿い折り曲げかつ互いに重ね合わせて、大きさ、厚みの異なる３種類の箱を組み立てる。【選択図】図１
2010235148.tif 000002
【特許請求の範囲】
【請求項１】
段ボールなどからなる一枚のブランクを使用し、そのブランクの中央に罫線によって４角形の底面部を形成し、その底面部を中心に該ブランクの幅面方向と長さ面方向とに、箱高さに対応する複数の寸法調節用罫線を平行状に設け、かつ前記底面部の４隅には長さ面方向に切離し可能なジッパーを設けてなり、そのブランクを畳（たとう）紙のように、長さ面方向の前後両端部と幅面方向の左右両端部をそれぞれ前記複数の罫線から選ばれた１つの罫線に沿い折り曲げかつ互いに重ね合わせて、大きさ、厚みの異なる３種類の箱の組み立てを可能にした包装用シート。
【請求項２】
請求項１に記載の包装用シートであって、前記底面部の４隅に設けた各ジッパーの外側に、幅面を接続するためのフラップを長さ面方向に設けたことを特徴する包装用シート。
【請求項３】
前記フラップには、複数の相対応する噛合い溝が形成されていることを特徴とする請求項２に記載の包装用シート。
【請求項４】
請求項１に記載の包装用シートであって、展開形態が略十字状であり、展開形態のブランク中央に設ける４角形の底面部を中心にして幅面方向と長さ面方向とに、箱高さに対応する複数の寸法調節用罫線を平行状に設け、かつ前記底面部を基準線としてその基準線から各罫線にまでの間隔（＝箱高さ）をそれぞれａ、ｂ、ｃ、ａ'、ｂ'、ｃ'としたとき、ａ＝ａ'、ｂ＝ｂ'、ｃ＝ｃ'を満足し、かつａ'、ｂ'、ｃ'は、それらの中点がブランクにおいて揃う位置に設けられていることを特徴とする包装用シート。
【請求項５】
請求項１記載の包装用シートより組立てられたことを特徴するサイズ変更可能な箱。
【発明の詳細な説明】
【技術分野】
【０００１】
本発明は、大きさの異なる商品や数量の異なる商品を効率よく包装することができる畳（たとう）紙タイプの包装用シート及び同シートから組み立てるサイズ変更可能な箱に関する。
【背景技術】
【０００２】
近年、電話やインターネット、カタログなどで様々な商品を注文して購入する機会が増えている。通信販売業者等が購入者宛に発送する商品やその数量は、注文内容によりまちまちであるから、当該業者は梱包数量等に応じた多くの種類の輸送箱（段ボール箱）を準備しておかなければならない。
しかし、多くの種類の輸送箱を準備しておかなければならないということは、コスト増になるうえ、輸送箱の保管スペースが問題となる。また、発送する商品に比べて輸送箱のサイズが大きい場合は、内部に生ずる無駄な空間を埋めるために緩衝材が必要になる。緩衝材の多用はコスト増加となるうえ、顧客には過剰包装の悪いイメージを与える嫌いがある。
【０００３】
従来、梱包物の形状、数量に応じて箱の幅、奥行き、高さ寸法を変えることができるサイズ変更可能な箱は、例えば下記文献１〜９に示すように多数が知られている。しかしながら、これらの従来のものは、剛性の高い箱側壁などを折り曲げることで、サイズ変更（容積変更）するものなので、段ボールように厚い紙から形成される輸送箱にあっては、必要時に箱側壁などを折り曲げることが決して容易ではなく、寸法調節の自由度が低いという制約がある。
そして、従来のこの種段ボール箱の形式は、全てＡ式（ＪＩＳ  Z−１５０７）と呼ばれているタイプのものから形成されていたので、Ａ式以外の箱形式のものが要望されている。
【０００４】
一方、従来、たたんだ和服を四方から覆い、こよりや紐で結んで収納する形式のものとして畳（たとう）紙が知られている（世界大百科事典、平凡社発行）。
そして、このような畳紙を応用した箱の形状が下記非特許文献１に記載されている。
【先行技術文献】
【特許文献】
【０００５】
【特許文献１】実開昭５７−１６７０１６号公報
【特許文献２】実開平７−３７９１６号公報
【特許文献３】特開平９−１５６６３１号公報
【特許文献４】実用新案登録第３１２０４３５号公報
【特許文献５】特開２００６−９６３７９号公報
【特許文献６】実用新案登録第３１２７１８７号公報
【特許文献７】特開２００７−１９７０４７号公報
【特許文献８】特開２００７−２０４１２２号公報
【特許文献９】特開２００９−７０２９号公報
【非特許文献】
【０００６】
【非特許文献１】清水要、外１名、"ＤＳＳ７  パッケージプラン"１９６８年３月３日、株式会社  美術出版社、１３８頁
【発明の概要】
【発明が解決しようとする課題】
【０００７】
本発明は、連続した一枚のたとう紙タイプのブランクから、折り曲げかつ互いに重ね合わせて、大きさ、厚みの異なる３種類の箱の組み立てを可能にした包装用シートを得ることを課題とするものである。
【課題を解決するための手段】
【０００８】
前記課題を解決するため、本発明は、段ボールなどから成る一枚のブランクを使用し、そのブランクの中央に罫線によって４角形の底面部を形成し、その底面部を中心に該ブランクの幅面方向と長さ面方向とに、箱高さに対応する複数の寸法調節用罫線を平行状に設け、かつ前記底面部の４隅には長さ面方向に切離し可能なジッパーを設けてなり、そのブランクを畳（たとう）紙のように、長さ面方向の前後両端部と幅面方向の左右両端部をそれぞれ前記複数の罫線から選ばれた１つの罫線に沿い折り曲げかつ互いに重ね合わせて、大きさ、厚みの異なる３種類の箱の組み立てを可能にした包装用シートを得る構成としている。
【０００９】
また本発明は、前記底面部の４隅に設けた各ジッパーの外側に、幅面を接続するためのフラップを長さ面方向に設けたことを特徴する包装用シートを得る構成としている。
【００１０】
また本発明の前記フラップには、複数の相対応する噛合い溝が形成されていることが特徴である。
【００１１】
また本発明の包装用シートは、展開形態が略十字状であり、その展開形態のブランク中央に設ける４角形の底面部を中心にして幅面方向と長さ面方向とに、箱高さに対応する複数の寸法調節用罫線を平行状に設け、かつ前記底面部を基準としてその基準から各罫線にいたるまでの間隔（＝箱高さとする）をそれぞれａ、ｂ、ｃ、ａ'、ｂ'、ｃ'としたとき、ａ＝ａ'、ｂ＝ｂ'、ｃ＝ｃ'を満足し、かつａ'、ｂ'、ｃ'は、それらの中点がブランクにおいて揃う位置に設けられていることを特徴とする包装用シートである。
【００１２】
本発明は、前記の包装用シートより組立てられたことを特徴するサイズ変更可能な箱である。
【発明の効果】
【００１３】
本発明によれば、一枚の畳（たとう）紙のように、長さ面方向の前後両端部と幅面方向の左右両端部をそれぞれ前記複数の罫線から選ばれた１つの罫線に沿い折り曲げかつ互いに重ね合わせて、大きさ、厚みの異なる３種類の箱の組み立てることができる。
また段ボールように厚い紙を使用した場合にも、必要時に折り曲げサイズ変更することが容易である。
また畳（たとう）紙タイプであるから、最小限のスペースで輸送箱を保管することができる。
【図面の簡単な説明】
【００１４】
【図１】図１は本発明実施例である包装用シートの平面図である。
【図２】図２は本発明の包装用シートの第１の組立て状態を示した斜視図である。
【図３】図3は本発明の包装用シートを第１の組立て状態に折る場合の罫線位置を示す平面図である。
【図４】図４は図３のシートを組立てる途中の状態を示す斜視図である。
【図５】図5は本発明の包装用シートの第２の組立て状態を示した斜視図である。
【図６】図６は本発明の包装用シートを第２の組立て状態に折る場合の罫線位置を示す平面図である。
【図７】図７はジッパーを切離している過程を示す斜視図である。
【図８】図８は図６のシートを組立てる途中の状態を示す斜視図である。
【図９】図９は本発明の包装用シートの第３の組立て状態を示した斜視図である。
【図１０】図１０は本発明の包装用シートの第３の組立て状態を示した斜視図である。
【図１１】図１１はジッパーを切離している過程を示す斜視図である。
【図１２】図１２は図10のシートを組立てる途中の状態を示す斜視図である。
【図１３】図１３は蓋の閉じ方の一例を示す斜視図である。
【発明を実施するための形態】
【００１５】
本発明のシート及び箱は、周知の段ボールや厚紙などのシートを例えば紙器打抜機によって打ち抜いて、罫線及びジッパーを形成しながら、図１の展開図に示すように、展開形態が略十字状をした１枚のブランクＢとして打ち抜いて形成されている。このブランクＢを図４、図８または図１２に示すように、ブランクに設けた複数の罫線から選ばれた１つの罫線に沿い折り曲げかつ互いに重ね合わせて、たとう紙のように大きさ、厚みの異なる３種類の箱の組み立てを可能にしたものである。
【実施例１】
【００１６】
この発明の包装用シートは、図１に示すように、略十字状ブランクＢの中央部に、罫線によって４角の底面部１０を形成し、その底面部を中心に該ブランクの幅面方向（Ｗ方向）と長さ面方向（Ｌ方向）とに、一対の幅面パネル１１Ａ、１１Ｂと一対の長さ面パネル１２Ａ、１２Ｂがそれぞれ連設されている。また、各パネルには箱高さに対応するように複数の寸法調節用罫線１３、１４がそれぞれ平行状に設けられている。なお寸法調節用罫線１４は、底面部１０の領域及び左右の幅面パネル１１Ａ、１１Ｂの領域にも形成することで、寸法調節用罫線１３と１４は互いに直交するように配置されている。
そして、前記底面部１０の４隅には長さ面方向に切離し可能なジッパー１５が形成されている。また左右の幅面パネル１１Ａ、１１Ｂに対しては、前記底面部の４隅に設けた各ジッパー15の外側の位置で、幅面を接続するためのフラップ１６Ａ、１６Ｂを長さ面パネルに平行に連設するとともに該フラップの連設部の高さ寸法は、罫線間隔以下に設定する。また該フラップには複数（本例では３本）の相対応する噛合い溝１７を形成する。
【００１７】
ここで、幅面パネルに平行状に形成する寸法調節用罫線１３と長さ面パネルに平行状に形成する法調節用罫線１４の設定間隔について説明する。
本例に示すように、箱高さに対応する複数の寸法調節用罫線は平行状に設け、かつ前記底面部を基準としてその基準から各罫線にいたるまでの間隔（＝箱高さとする）をそれぞれａ、ｂ、ｃ、ａ'、ｂ'、ｃ'としたとき、紙の厚みを無視したとして、ａ＝ａ'、ｂ＝ｂ'、ｃ＝ｃ'を満足し、かつａ'、ｂ'、ｃ'は、それらの中点がブランクにおいて揃う位置に設けることが必要である。
【００１８】
次に、このシートの使用方法（組立て方）について説明する。
図２に示す厚みの薄い箱を組み立てる場合、図３、図４に示すように、先ず、幅面パネル１１Ａ、１１Ｂを底面部１０に対して直角に立ち上げる。次に左右フラップ１６Ａ、１６Ｂの噛合い溝１７をはめ込んで固定する。次いで幅面パネル１１Ａ、１１Ｂを複数の罫線１３から選ばれた１つの罫線に沿い折りまげパネルの左右両端部を重ね合わせる。
続いて、長さ面パネル１２Ａ，１２Ｂをそれぞれ前記複数の罫線１４から選ばれた１つの罫線に沿い折り曲げかつそのパネル１２Ａ，１２Ｂの両端部を幅面パネル１１Ａ、１１Ｂの上に重ね合わせることで、蓋を閉じて組立て完了とする。
【００１９】
図５のような標準的な箱を組み立てる場合は、図６及び図７に示したように先ず、底面部１０の４隅に設けたジッパー１５の一部を切離しておく。次に、図８のように、幅面パネル１１Ａ、１１Ｂを底面部１０に対して直角に立ち上げる。次に左右フラップ１６Ａ、１６Ｂの噛合い溝１７をはめ込んで固定する。次いで幅面パネル１１Ａ、１１Ｂを複数の罫線１３から選ばれた１つの罫線に沿い折りまげパネルの左右両端部を重ね合わせる。
続いて、長さ面パネル１２Ａ，１２Ｂをそれぞれ前記複数の罫線１４から選ばれた１つの罫線に沿い折り曲げかつそのパネル１２Ａ，１２Ｂの両端部を幅面パネル１１Ａ、１１Ｂの上に重ね合わせることで、蓋を閉じて組立て完了とする。
【００２０】
図９に示すように背の高い箱を組み立てる場合は、図１１のように底面部１０の４隅に設けたジッパー１５を切離しておく。続いて図１２のように、幅面パネル１１Ａ、１１Ｂを底面部１０に対して直角に立ち上げる。次に左右フラップ１６Ａ、１６Ｂの噛合い溝１７をはめ込んで固定する。次いで幅面パネル１１Ａ、１１Ｂを複数の罫線１３から選ばれた１つの罫線に沿い折りまげパネルの左右両端部を重ね合わせる。
続いて、長さ面パネル１２Ａ，１２Ｂをそれぞれ前記複数の罫線１４から選ばれた１つの罫線に沿い折り曲げかつそのパネル１２Ａ，１２Ｂの両端部を幅面パネル１１Ａ、１１Ｂの上に重ね合わせることで、蓋を閉じて組立て完了とする。
【００２１】
蓋は粘着テープやステープルを使用して止めたり、接着剤を使用して止めることができるが図１３に示すような差込タイプでもよい。図１３は蓋の閉じ方の一例を示す斜視図である。
【００２２】
以上のように本発明は、１枚の平面状のブランクを折り曲げかつ互いに重ね合わせることで、大きさ、厚みの異なる３種類の箱の組み立てが可能になる。また、フラップの係合を解くことで元の平面状態に戻すことができるので、コンパクトに保管でき、繰り返しの使用も可能である。
【符号の説明】
【００２３】
Ｂ  ブランク
１０  底面部
１１Ａ、１１Ｂ  幅面パネル
１２Ａ，１２Ｂ  長さ面パネル
１３、１４  寸法調節用罫線
１５  切離し可能なジッパー
１６Ａ、１６Ｂ  接続用フラップ
１７  噛合い溝
【図１】
2010235148.tif 000003
【図２】
2010235148.tif 000004
【図３】
2010235148.tif 000005
【図４】
2010235148.tif 000006
【図５】
2010235148.tif 000007
【図６】
2010235148.tif 000008
【図７】
2010235148.tif 000009
【図８】
2010235148.tif 000010
【図９】
2010235148.tif 000011
【図１０】
2010235148.tif 000012
【図１１】
2010235148.tif 000013
【図１２】
2010235148.tif 000014
【図１３】
2010235148.tif 000015